(57)【要約】【課題】  構造が簡単で、送風方向が互いに逆向きの２台の送風機を適時に交互に運転するだけの操作で済む、安価で熱回収の良い住宅用の熱回収換気扇を提供する。【解決手段】  動力側導管（１）には、送風方向が互いに逆向きの２台の送風機（２）及び蓄熱器（３）を設け、給排気導管に蓄熱器（３）を設けてなる熱回収換気扇【選択図】              図１
2006189173.tif 000002
【特許請求の範囲】
【請求項１】
動力式側導管（１）には、送風方向が互いに逆向きの２台の送風機（２）及び蓄熱器（３）を設け、給排気導管（４）の内部には蓄熱器（３）を設けてなる熱回収換気扇。
【発明の詳細な説明】
【技術分野】
【０００１】  この発明は住宅の換気をするにあたり、内部に２台の送風機を、それらの送風方向がお互いに逆向きになるように取り付けた導管と、給排気口を壁に設置して、導管側、給排気口側にそれぞれ熱交換用の蓄熱器を設け、導管内の２台の送風機を交互に運転することにより、導管及び給排気口を通過する暖気又は冷気の熱エネルギーを回収して、住宅内のエネルギーを有効利用する機能を持たせたものである。
【背景技術】
【０００２】  従来、プレート式熱交換器を装着した熱回収換気扇やロータリー式熱交換器を装着した熱回収換気扇等が普及しているが、これらの熱回収換気扇には排気の持っている熱を給気との温度差に応じて回収する熱交換機が採用されている。
プレート式熱交換器は図４、図５、図６に示すが、図６に示すように、熱交換させる空気が流れる仕切り板の間の流路の中に、折れ畳まれた薄板フィンを差し込んだサンドイッチ構造を多層化されており、給気と排気は、互い違いに構成されている溝の部分を交差し通過する。つまり給気と排気の間の熱伝達が仕切り板を通じて行われるため、熱交換の効率の面で不利となる。
又、ロータリー式熱交換器は図７のように熱慣性力の大きい素材によるホイールで構成されている。ホイールはモータによって回転され、半分が排気側にある時は、残りの半分は給気側にある。ホイールの回転につれて排気側の熱が給気側に運ばれることで熱交換が行われる。この方式は構造が複雑で高価であり、故障も多くメンテナンス費用も大となり、一般家庭用には不向きである。
【発明の開示】
【発明が解決しようとする課題】
【０００３】イ、プレート式熱交換器は熱効率の面で不利である。
ロ、ロータリー式熱交換器は構造が複雑で高価であり、メンテナンス費用も大である。
本発明は以上の欠点を解決するためになされたものである。
【課題を解決するための手段】
【０００４】  動力側導管（１）と給排気導管（４）とを並列に接合し、住宅の壁（７）を貫通するように設置する。
動力側導管（１）の内部には、２台の送風機（２）及び蓄熱器（３）を設ける。給排気導管（４）の内部には蓄熱器（３）を設けた構造である。
動力側導管（１）の内部に設けた２台の送風機（２）は各々の送風方向が互いに逆向きとなるように設置する。それら２台の送風機（２）を適時に自動的に交互に運転することにより、空気の流れの方向が屋内から屋外、もしくは屋外から屋内へと、適時に切り替えられることにより、換気を行う。
その都度、動力側導管（１）及び給排気導管（４）内に設けた蓄熱器（３）は空気の冷熱もしくは温熱を回収することができる。
本発明は住宅の換気時に失う屋内の冷熱又は温熱を効率よく回収し、活用出来る構成からなる熱回収換気扇である。
【発明の効果】
【０００５】本発明を使用することによって、
１、住宅内の熱回収が効率よくでき、回収して熱を活用できるため、省エネルギー効果が大きい。
２、本発明は構造が簡単で、メンテナンスもし易く費用も安い。
３、制作費が安価であり、一般家庭向きである。
【発明を実施するための最良の形態】
【０００６】  以下、本発明の実施例を述べる。
動力側導管（１）と給排気導管（４）とを並列に接合し、住宅の壁（７）を貫通するように設置する。
動力側導管（１）の内部には、２台の送風機（２）及び蓄熱器（３）を直列状態に設ける。
動力側導管（１）の内部に設けた２台の送風機（２）は、各々の送風方向が、互いに逆方向となるように設置する。
蓄熱器（３）は蓄熱器薄板（５）を並べ、その端部を支持部品（６）で隙間を保てるように支持した熱容量の大きい構造とする。
給排気導管（４）の内部には蓄熱器（３）を設ける。
又、動力側導管（１）と給排気導管（４）の接合部には、両導管を通過する空気を混合させないために、導風板（８）を設ける。
導風板（８）は、動力側導管（１）側は先端を動力側導管（１）側に折り曲げ、給排気導管（４）側は先端を給排気導管（４）側に折り曲げる。
本発明は以上の構成よりなっている。
本発明を夏季の住宅内の冷房時に使用する場合について述べる。
２台の送風機（２）の内の、空気を屋内から屋外に送り出す送風機（２）を運転すると、屋内の冷気は蓄熱器（３）を通り、熱回収される。蓄熱器（３）が十分に冷えた時点で、空気を屋内から屋外に送り出す送風機（２）の運転を止め、２台の送風機（２）の内のもう１台の、空気を屋外から屋内に送り込む送風機（２）を運転すると、空気は屋外から屋内へと送り込まれ、蓄熱器（３）に回収されていた冷気のエネルギーを屋内に取り入れることができる。
一方、給排気導管（４）の機能は、動力側導管（１）内を空気が屋内から屋外へ送り出される場合は、屋内の空気圧が屋外より低くなるため、屋外から屋内へ給排気導管（４）を通過して空気が流れる。又、動力側導管（１）内を空気が屋外から屋内へ送り込まれる場合は、屋内の空気圧が屋外より高くなるため、屋内から屋外へ給排気導管（４）を通過して空気が流れる。
その際、動力側導管（１）と同様に、給排気導管（４）内に設けた蓄熱器（３）により、熱回収が行われる。
この発明を冬季の住宅内の暖房時に使用する場合も、同様に暖気のエネルギーを回収することができる。
そして必要に応じて、
イ、  動力側導管（１）と給排気導管（４）とは分割し、取り付け易い位置に離して取り付けても良い。この場合は導風板（８）は不要である。
ロ、  給排気導管（４）の効果が少ないと考えられる場合は、動力側導管（１）のみでもよい。この場合も導風板（８）は不要である。
ハ、  動力側導管（１）や給排気導管（４）を住宅の壁（７）に貫通させる場合に、住宅の壁（７）を貫通させる部分の動力側導管（１）や給排気導管（４）を細くしても良い。この場合は導管内の空気の流れに対する抵抗が大きくなるが、設置時に住宅の壁（７）に開ける穴を小さくできる利点がある。
【産業上の利用可能性】
【０００７】  現在の新築住宅は気密性に富んだ構造が多く、住宅の換気は欠かせない状況にある。又、エアーコンデショナーを設置し、冷暖房を行う住宅も通常である。本発明は、エアーコンデショナーにて室内に蓄えられた冷暖房エネルギーを換気時に失うことなく回収できる装置であり、今後の住宅には欠かせない熱回収換気扇である。
【図面の簡単な説明】
【０００８】
【図１】      本発明の使用状態を示す斜視図
【図２】      本発明の蓄熱器の構造を示す斜視図
【図３】      本発明の動力側導管と給排気導管を離して設置した状態の斜視図
【図４】      従来のプレート式熱回収換気扇の熱交換の系統図
【図５】      従来のプレート式熱回収換気扇の例の斜視図
【図６】      従来のプレート式熱回収換気扇の熱交換部の分解斜視図
【図７】      従来のロータリー式熱交換器の正面及び側面の概念図
【図８】      本発明の動力側導管や給排気導管が住宅の壁を貫通する部分の導管を細くした状態を示す斜視図
【符号の説明】
【０００９】    １．  動力側導管
２．  送風機
３．  蓄熱器
４．  給排気導管
５．  蓄熱器薄板
６．  蓄熱器端部支持部品
７．  壁
８．  導風板
【図１】
2006189173.tif 000003
【図２】
2006189173.tif 000004
【図３】
2006189173.tif 000005
【図４】
2006189173.tif 000006
【図５】
2006189173.tif 000007
【図６】
2006189173.tif 000008
【図７】
2006189173.tif 000009
【図８】
2006189173.tif 000010